(57)【要約】    【課題】印刷が完了するまでに時間がかかることが少なく，かつ，装置によって無駄に電力が消費されることがない環境を、簡単に実現できる印刷装置を、提供する。    【解決手段】印刷装置を、印刷データの印刷を行った際、その受信時刻，印刷枚数を含む印刷履歴情報を保存しておく機能と、保存してある印刷履歴情報から、各時間帯における稼働頻度を算出し(ステップＳ１０１，Ｓ１０２)、算出した稼働頻度の変化パターンから、何組かの通常モード復帰時刻及び省電力モード移行時刻を求める(ステップＳ１０３)機能と、各通常モード復帰時刻となった際に通常モードへ移行し、各省電力モード移行時刻となった際に省電力モードへ移行する機能（動作モード制御回路（ステップＳ１０４参照）を備えた装置）とを有する装置として構成しておく。    【選択図】  図３
2007168295.tif 000002
【特許請求の範囲】
【請求項１】
不揮発性記憶手段と、
情報処理を実行するための手段であると共に、前記情報処理を即座に実行可能な通常状態と，前記通常状態よりも消費電力が少ない省電力状態とで動作可能な手段である情報処理実行手段と、
前記情報処理実行手段による前記情報処理の実行時刻を前記不揮発性記憶手段に記憶する実行時刻記録手段と、
前記不揮発性記憶手段に記憶されている実行時刻群に基づき，前記情報処理の実行頻度が高い幾つかの時間帯を特定する時間帯特定手段と、
前記情報処理実行手段を，前記時間帯特定手段により特定された各時間帯には，前記通常状態で動作させ、他の時間帯には，前記省電力状態で動作させる状態制御手段と
を、備えることを特徴とする情報処理装置。
【請求項２】
不揮発性記憶手段と、
印刷データを受信するための印刷データ受信手段と、
前記印刷データ受信手段によって受信された印刷データに応じた内容の印刷を行う手段であると共に、前記印刷データの印刷を即座に行うことが可能な通常状態と，前記通常状態よりも消費電力が少ない省電力状態とで動作可能な手段である印刷実行手段と、
前記印刷実行手段により前記印刷データの印刷が行われた時刻である印刷時刻を前記不揮発性記憶手段に記憶する印刷時刻記録手段と、
前記不揮発性記憶手段に記憶されている印刷時刻群に基づき，印刷の実行頻度が高い幾つかの時間帯を特定する時間帯特定手段と、
前記印刷実行手段を，前記時間帯特定手段により特定された各時間帯には，前記通常状態で動作させ、他の時間帯には，前記省電力状態で動作させる状態制御手段と
を、備えることを特徴とする印刷装置。
【請求項３】
前記状態制御手段が、
前記印刷実行手段を前記省電力状態で動作させている状況下，前記印刷データ受信手段が印刷データを受信し始めた場合、前記印刷実行手段を前記通常状態で動作させ、前記印刷実行手段による当該印刷データの印刷が完了した後に，前記印刷実行手段を前記省電力状態で動作させる手段である
ことを特徴とする請求項２記載の印刷装置。
【請求項４】
前記印刷時刻記録手段が、
前記印刷実行手段によって印刷された用紙の枚数である印刷枚数を，前記印刷時刻と共に，前記不揮発性記憶手段に記憶する手段であり、
前記時間帯特定手段が、
前記不揮発性記憶手段に記憶されている各印刷時刻及び各印刷枚数に基づき，印刷枚数が多い幾つかの時間帯を特定する手段である
ことを特徴とする請求項２又は請求項３記載の印刷装置。
【請求項５】
前記印刷データ受信手段が、
スキャナユニットからの，原稿をスキャンすることにより前記スキャナユニットが生成した印刷データと、ホスト装置からの印刷データとを，受信する手段である
ことを特徴とする請求項２乃至請求項４のいずれかに記載の印刷装置。
【発明の詳細な説明】
【技術分野】
【０００１】
本発明は、情報処理装置及び印刷装置に関する。
【背景技術】
【０００２】
周知のように、近年の情報処理装置（印刷装置，コンピュータ，スキャナ等）は、実際に利用されていない状態が所定時間以上継続した場合、省電力モードでの動作を開始する装置〔幾つかの構成要素（印刷エンジン、ディスプレイ，光源等）が，電力の消費量が少ない状態／電力を全く消費しない状態となる装置〕として構成されている。
【０００３】
情報処理装置が，そのような装置として構成されているのは、無駄に電力が消費されてしまうことを防止するためなのであるが、省電力モードで動作している情報処理装置に、通常モードでの動作を開始させるためには、或る程度の時間が必要とされることになる。このため、通常モードで動作する時間帯を指定できるコピー機（省電力モードへの移行時刻、通常モードへの移行時刻をユーザが指定可能なコピー機；例えば、特許文献１参照。）が、開発されている。
【０００４】
しかしながら、通常モードで動作する時間帯を指定可能な既存のコピー機は、動作モードの移行時刻として適切な値を設定しておかないと、無駄に電力が消費される状態，或いは、コピーを行いたいときに，省電力モードで動作している確率が比較的に高い状態で動作してしまう装置となっている。
【０００５】
【特許文献１】特開２００４−８５７２１号公報
【発明の開示】
【発明が解決しようとする課題】
【０００６】
そこで、本発明の課題は、情報処理／印刷が完了するまでに時間がかかることが少なく，かつ，装置によって無駄に電力が消費されることがない形で情報処理／印刷を行える環境を、簡単に実現できる情報処理装置／印刷装置を、提供することにある。
【課題を解決するための手段】
【０００７】
上記課題を解決するために、本発明の情報処理装置は、不揮発性記憶手段と、情報処理を実行するための手段であると共に、情報処理を即座に実行可能な通常状態と，通常状態よりも消費電力が少ない，情報処理を即座に実行することは出来ない省電力状態とで動作可能な手段である情報処理実行手段と、情報処理実行手段による情報処理の実行時刻を不揮発性記憶手段に記憶する実行時刻記録手段と、不揮発性記憶手段に記憶されている実行時刻群に基づき，情報処理の実行頻度が高い幾つかの時間帯を特定する時間帯特定手段と、情報処理実行手段を，時間帯特定手段により特定された各時間帯には，通常状態で動作させ、他の時間帯には，省電力状態で動作させる状態制御手段とを、備える。
【０００８】
すなわち、本発明の情報処理装置は、情報処理の実行頻度が高い幾つかの時間帯を利用履歴（不揮発性記憶手段上の実行時刻群）から特定する機能と、“情報処理を即座に実行可能な通常状態”と“通常状態よりも消費電力が少ない，情報処理を即座に実行することは出来ない省電力状態”とを取り得る情報処理実行手段を、特定した各時間帯には、通常状態で動作しており、他の時間帯には，省電力状態で動作しているように制御する機能とを有する装置となっている。従って、この情報処理装置を用いておけば、情報処理が完了するまでに時間がかかることが少なく（情報処理を行う必要が生じたときに、情報処理装置の情報処理実行手段の状態が省電力状態となっている確率が低く）、かつ、情報処理装置によって無駄に電力が消費されることがない形で，情報処理を行える環境を、簡単に（適切な動作モードの移行時刻を決定し、決定した移行時刻をセットする作業を行うことなく）、実現できることになる。
【０００９】
また、本発明の印刷装置は、不揮発性記憶手段と、印刷データを受信するための印刷データ受信手段と、印刷データ受信手段によって受信された印刷データに応じた内容の印刷を行う手段であると共に、印刷データの印刷を即座に行うことが可能な通常状態と，通常状態よりも消費電力が少ないが，印刷データの印刷を即座に行うことが出来ない省電力状態とで動作可能な手段である印刷実行手段と、印刷実行手段により印刷データの印刷が行われた時刻である印刷時刻を不揮発性記憶手段に記憶する印刷時刻記録手段と、不揮発性記憶手段に記憶されている印刷時刻群に基づき，印刷の実行頻度が高い幾つかの時間帯を特定する時間帯特定手段と、印刷実行手段を，時間帯特定手段により特定された各時間帯には，通常状態で動作させ、他の時間帯には，省電力状態で動作させる状態制御手段とを、備える。
【００１０】
すなわち、本発明の印刷装置は、印刷が行われることが多い幾つかの時間帯を利用履歴（不揮発性記憶手段上の印刷時刻群）から特定する機能と、“印刷データの印刷を即座に行うことが可能な通常状態”と，“通常状態よりも消費電力が少ないが，印刷データの印刷を即座に行うことが出来ない省電力状態”とを取り得る印刷実行手段を、特定した各時間帯には、通常状態で動作しており、他の時間帯には，省電力状態で動作しているように制御する機能とを有する装置となっている。従って、この印刷装置を用いておけば、印刷結果が排出されるまでに時間がかかることが少なく（印刷を行う必要が生じたときに、印刷装置の印刷実行手段が省電力状態で動作している確率が低く）、かつ、印刷装置によって無駄に電力が消費されることがない形で，印刷を行える環境を、簡単に（適切な動作モードの移行時刻を決定し、決定した移行時刻をセットする作業を行うことなく）、実現できることになる。
【００１１】
本発明の印刷装置を実現するに際しては、状態制御手段を、印刷実行手段を省電力状態で動作させている状況下，印刷データ受信手段が印刷データを受信し始めた場合、印刷実行手段を通常状態で動作させ、印刷実行手段による当該印刷データの印刷が完了した後に，印刷実行手段を省電力状態で動作させる手段としておくことが出来る。
【００１２】
また、印刷時刻記録手段を、印刷実行手段によって印刷された用紙の枚数である印刷枚数を，印刷時刻と共に，不揮発性記憶手段に記憶する手段としておくと共に、時間帯特定手段を、不揮発性記憶手段に記憶されている各印刷時刻及び各印刷枚数に基づき，印刷枚数が多い幾つかの時間帯を特定する手段としておくことも、印刷データ受信手段を、スキャナユニットからの，原稿をスキャンすることによりスキャナユニットが生成した印刷データと、ホスト装置からの印刷データとを，受信する手段としておくことも出来る。
【発明を実施するための最良の形態】
【００１３】
以下、本発明を実施するための最良の形態を、図面を参照して詳細に説明する。
【００１４】
図１に示してあるように、本発明の一実施形態に係る印刷装置１０は、操作パネル１１と制御部１２と印刷機構部１３とを備えた装置である。また、印刷装置１０は、プリンタドライバ（印刷装置１０用のもの）がインストールされているパーソナルコンピュータ（ＰＣ）５０やスキャナユニット４０と接続されて使用される装置（ＰＣ５０，スキャナ４０の双方と接続されている必要はない装置）となっている。
【００１５】
この印刷装置１０に接続されるスキャナユニット４０は、テンキー，ＬＣＤ等からなる操作パネルを備えたイメージスキャナである。また、スキャナユニット４０は、操作パネルに対してコピーの開始を指示する操作がなされた場合、自ユニットにセットされている原稿をスキャンすることにより，当該原稿の画像データを生成し、生成した画像データ相当の印刷データ（当該画像データの印刷が行われることになる印刷データ）を作成して印刷装置１０に送信するユニットとなっている。
【００１６】
印刷装置１０が備える操作パネル１１は、ユーザから，各種の指示を得るため（及び、印刷装置１０の状態をユーザに提示するため）のユニットである。この操作パネル１１は、ＬＣＤ，少数のＬＥＤ，少数の押しボタンスイッチ等から構成されたユニットとなっている。印刷機構部１３は、各種の用紙上に印刷を行うためのユニット（いわゆる印刷エンジン）である。
【００１７】
制御部１２は、印刷装置１０内の各部を統合的に制御するための、ＣＰＵ２１，ＲＴＣ（real time clock）２２，制御ＡＳＩＣ２３，ホストＩ／Ｆ回路２４，ＨＤＤ２５，ＲＡＭ２６，ＲＯＭ２７等からなるユニットである。
【００１８】
この制御部１２に用いられている制御ＡＳＩＣ２３は、各種デバイス（ＣＰＵ２１，ＲＴＣ２２，ホストＩ／Ｆ回路２４等）間のデータの転送制御等を行うＡＳＩＣ（印刷装置１０用のものとして開発されたＡＳＩＣ）である。
【００１９】
この制御ＡＳＩＣ２３には、動作モード制御回路３０が設けられている。そして、本実施形態に係る印刷装置１０は、制御ＡＳＩＣ２３内の動作モード制御回路３０により、その動作モードが，『ＰＣ５０／スキャナ４０からの印刷データの印刷を即座に行える動作モード』（以下、通常モードと表記する），或いは，『ＰＣ５０／スキャナ４０からの印刷データを受信することは可能であるが，幾つかの構成要素が，電力の消費量が少ない状態／電力を全く消費しない状態とされているが故に、受信した印刷データの印刷を即座に開始できない動作モード』（以下、省電力モードと表記する）に制御される装置となっている。
【００２０】
以上のことを前提に、以下、本実施形態に係る印刷装置１０の構成及び動作を、さらに具体的に説明する。
【００２１】
まず、制御ＡＳＩＣ２３内に設けられている動作モード制御回路３０の構成及び動作を説明する。
【００２２】
動作モード制御回路３０は、通常モード復帰時刻を記憶（セット）しておくためのＭ（本実施形態では、Ｍ＝８）個の復帰時刻レジスタ，省電力モード移行時刻を記憶しておくためのＭ個の移行時刻レジスタ，次回復帰時刻或いは次回移行時刻を記憶しておくための比較時刻用レジスタ（そこに記憶された通常モード復帰時刻或いは省電力モード移行時刻が，次回復帰時刻或いは次回移行時刻として使用されるレジスタ）とを、備えた回路である。
【００２３】
また、動作モード制御回路３０は、ＣＰＵ２１による起動時処理（印刷装置１０の起動時にＣＰＵ２１が行う処理；詳細は後述）が完了した際に、図２に示した動作を開始する回路となっている。
【００２４】
すなわち、ＣＰＵ２１による起動時処理が完了した際、動作モード制御回路３０は、まず、ＲＴＣ２２から取得した現在時刻に最も近い，移行時刻レジスタ／復帰時刻レジスタに記憶されている省電力モード移行時刻／通常モード復帰時刻（現在時刻以後のもの；図では、“移行時刻”／“復帰時刻”）を比較時刻用レジスタにセットする処理を行う。
【００２５】
その後、動作モード制御回路３０は、復帰時刻レジスタに通常モード復帰時刻をセットした場合には、印刷装置１０の動作モードを省電力モードとするための省電力モード移行制御処理を行う。なお、本動作モード制御回路３０が行う省電力モード移行制御処理は、ＣＰＵ２１及びＨＤＤ２５をスリープ状態とし、ＬＣＤ及び印刷機構部１３への電源供給を停止する処理となっている。
【００２６】
そして、動作モード制御回路３０は、印刷データがホストＩ／Ｆ回路２４によって受信され始めること（“印刷データ受信”）と、現在時刻が，比較時刻用レジスタにセットされている通常モード移行時刻と一致すること（“現在時刻＝次回移行時刻”）とを監視する第１状態での動作を、開始する。
【００２７】
一方、復帰時刻レジスタに省電力モード移行時刻をセットした場合、動作モード制御回路３０は、現在時刻が，比較時刻用レジスタにセットされている省電力モード移行時刻と一致すること（“現在時刻＝次回復帰時刻”）のみを監視する第２状態での動作を、開始する。
【００２８】
そして、第２状態での動作を開始した動作モード制御回路３０は、現在時刻が，比較時刻用レジスタにセットされている省電力モード移行時刻と一致した場合には、まず、省電力モード移行制御処理を行う。次いで、動作モード制御回路３０は、現在時刻に最も近い通常モード復帰時刻（現在時刻以後のもの）を比較時刻用レジスタにセットする処理を行ってから、第１状態での動作を開始する。
【００２９】
また、第１状態で動作している動作モード制御回路３０は、現在時刻が，比較時刻用レジスタにセットされている通常モード移行時刻と一致した場合（“現在時刻＝次回移行時刻”）には、まず、印刷装置１０の動作モードを通常モードとするための通常モード移行制御処理を行う。次いで、動作モード制御回路３０は、現在時刻に最も近い省電力モード移行時刻（現在時刻以後のもの）を比較時刻用レジスタにセットする処理を行ってから、第２状態での動作を開始する。
【００３０】
一方、印刷データがホストＩ／Ｆ回路２４によって受信され始めた場合（“印刷データ受信”）、第１状態で動作している動作モード制御回路３０は、通常モード移行制御処理と、現在時刻に最も近い省電力モード移行時刻（現在時刻以後のもの）を比較時刻用レジスタにセットする処理とを行ってから、印刷データの未受信時間が規定時間以上となること（“データ未受信時間≧規定時間”）と、現在時刻が，比較時刻用レジスタにセットされている通常モード移行時刻と一致すること（“現在時刻＝次回移行時刻”）とを監視する第３状態での動作を開始する。
【００３１】
そして、第３状態で動作している動作モード制御回路３０は、印刷データの未受信時間が規定時間以上となった場合（“データ未受信時間≧規定時間”）、或いは、現在時刻が，比較時刻用レジスタにセットされている通常モード移行時刻と一致した場合（“現在時刻＝次回移行時刻”）には、省電力モード移行制御制御処理と、現在時刻に最も近い通常モード復帰時刻（現在時刻以後のもの）を比較時刻用レジスタにセットする処理とを行ってから、第１状態での動作を、開始する。
【００３２】
要するに、本実施形態に係る印刷装置１０内に設けられている動作モード制御回路３０は、何組か（Ｍ個以下の）の通常モード復帰時刻及び省電力モード移行時刻を復帰時刻レジスタ及び移行レジスタに設定しておけば、印刷装置１０が、各通常モード復帰時刻から，その通常モード復帰時刻に最も近い省電力モード移行時刻までの各時間帯には、通常モードで動作し、それら以外の時間帯には、原則として省電力モードで動作することになる回路となっている。
【００３３】
次に、制御部１２の機能（制御部１２内のＣＰＵ２１が実行可能な処理の内容）を、説明する。
【００３４】
制御部１２は、近年の一般的な印刷装置内の制御部／コントローラと同様に、操作パネル１１／ＰＣ５０を操作することにより，装置の動作条件を指定するための各種の動作条件情報を設定できるユニットとなっている。ただし、制御部１２は、一般的な動作条件情報に加えて、集計日数及び再計算スケジュールも設定できるように構成されたユニットとなっている。ここで、再計算スケジュールとは、後述する動作モード移行時刻設定処理を実行するスケジュール（毎週，Ｘ[Ｘ＝月〜日]曜日の起動時，各週，Ｘ[Ｘ＝月〜日]曜日の起動時等）を指定する情報のことである。また、集計日数とは，動作モード移行時刻設定処理時に使用される数値情報（日数を示す情報）のことであり、制御部１２は、集計日数等をＨＤＤ２５上に記憶するユニットとなっている。
【００３５】
また、制御部１２は、或る印刷データの印刷を実際に行った場合には、その印刷データの受信時刻（以下、印刷時刻と表記する）と，印刷を行った枚数（以下、印刷枚数と表記する）とを含む印刷履歴情報をＨＤＤ２５上に記憶するように構成されたユニットとなっている。さらに、制御部１２は、印刷装置１０の起動時に、以下の内容の起動時処理を行うように構成されたユニットとなっている。
【００３６】
すなわち、印刷装置１０が起動されたため，起動時処理を開始した制御部１２（ＣＰＵ２１）は、まず、各部が正常に機能することを確認する処理を行う。次いで（各部が正常に機能することを確認できた場合）、制御部１２は、再計算スケジュールと集計日数（以下、Ｎと表記する）とをＨＤＤ２５から読み出し、読み出した再計算スケジュールと，ＲＴＣ２２から得た日付情報とから、本日が，動作モード移行時刻設定処理を実行すべき日（動作モード移行時刻設定処理実行日と表記する）であるか否かを判断する処理を行う。そして、制御部１２は、本日が動作モード移行時刻設定処理実行日ではなかった場合には、起動時処理を終了して、通常の処理を開始する。なお、通常の処理とは、ＰＣ５０／スキャナ４０から送信されてきた印刷データに応じた内容の印刷物を印刷機構部１３に生成させるための処理や、操作パネル１１に対する操作に応答する処理等からなる処理のことである。
【００３７】
一方、本日が動作モード移行時刻設定処理実行日であった場合、制御部１２は、図３に示した手順の動作モード移行時刻設定処理を開始して、まず、前日からＮ（＝集計日数）日前までの各日に関する印刷履歴情報をＨＤＤ２５から読み出す処理(ステップＳ１０１)を行う。
【００３８】
次いで、制御部１２は、ＨＤＤ２５から読み出した全ての印刷履歴情報（Ｎ日分の印刷履歴情報）に基づき、一日の各時間帯における稼働頻度を算出する処理(ステップＳ１０２)を行う。この処理は、図４に模式的に示してあるように、１０分単位の時間帯毎に、稼働頻度として、その時間帯における印刷枚数（Ｎ日分の，対応する時間帯における印刷枚数の合計）の，Ｎ日分の総印刷枚数に対するパーセント値を算出する処理となっている。
【００３９】
各時間帯における稼働頻度の算出を終えた制御部１２は、稼働頻度の変化パターンから，通常モード復帰時刻と省電力モード移行時刻とを、何組か求める処理(ステップＳ１０３)を行う。
【００４０】
より具体的には、制御部１２は、このステップＳ１０３において、まず、稼働頻度が規定値よりも少ない連続した時間帯（１個或いは複数個の時間帯）を全て特定する処理を行う。
【００４１】
次いで、制御部１２は、“特定した時間帯の数＞Ｍ”（Ｍは、動作モード制御回路３０内に設けられている復帰時刻レジスタ／移行時刻レジスタの個数）が成立しているか否かを判断し、“特定した時間帯の数＞Ｍ”が成立していた場合には、特定した時間帯の中から、その長さ（連続数）の降順でＭ個の時間帯を選択する処理を行う。そして、制御部１２は、選択したＭ個の各時間帯について，その時間帯の開始時刻，終了時刻を、それぞれ、省電力モード移行時刻，通常モード復帰時刻として記憶する処理（図４参照）を行う。なお、この処理は、終了時刻が２４：００となっている時間帯については、通常モード復帰時刻として、２３：５９：５９秒を記憶する処理となっている。
【００４２】
また、制御部１２は、“特定した時間帯の数＞Ｍ”が成立していなかった場合には、特定したＭ個以下の各時間帯について，その時間帯の開始時刻，終了時刻を、それぞれ、省電力モード移行時刻，通常モード復帰時刻として記憶する処理を行う。
【００４３】
選択したＭ個の各時間帯／特定したＭ個以下の各時間帯の開始時刻，終了時刻を、それぞれ、省電力モード移行時刻，通常モード復帰時刻として記憶する処理を終えた制御部１２は、ステップＳ１０３の処理を終了する。
【００４４】
そして、制御部１２は、求めた（記憶している）各通常モード復帰時刻，各省電力モード移行時刻を、動作モード制御回路３０内の各復帰時刻レジスタ，移行レジスタに設定する処理(ステップＳ１０４)を行ってから、この動作モード移行時刻設定処理（図３の処理）及び起動時処理を、終了する。
【００４５】
以上の説明から明らかなように、本実施形態に係る印刷装置１０は、利用履歴（ＨＤＤ２５上の印刷履歴情報群）に基づき、自動的に、自装置の状態を、比較的に頻繁に利用される時間帯には，通常モードで動作しており，殆ど利用されない時間帯には，省電力モードで動作している状態とする装置となっている。従って、この印刷装置１０を用いれば、印刷結果が排出されるまでに時間がかかることが少なく（印刷を行う必要が生じたときに、印刷装置１０が省電力モードで動作している確率が低く）、かつ、印刷装置１０によって無駄に電力が消費されることがない形で，印刷を行える環境（オフィス環境等）を、簡単に（適切な動作モードの移行時刻を決定し、決定した移行時刻をセットする作業を行うことなく）、実現できることになる。
【００４６】
《変形形態》
上記した印刷装置１０は、各種の変形を行うことが出来る。例えば、印刷装置１０を、集計日数や再計算スケジュールを設定できない装置（集計日数や再計算スケジュールが予め定められている装置）に変形することが出来る。また、印刷装置１０を、上記したものとは異なるアルゴリズムにて、通常モード復帰時刻，省電力モード移行時刻を求める装置や、印刷枚数を含まない印刷履歴情報を保存しておく装置（印刷データの受信頻度のみから、通常モード復帰時刻／省電力モード移行時刻を求める装置）に、変形することも出来る。
【００４７】
また、印刷装置１０を、具体的なハードウェア構成／処理手順が上記したものとは異なる装置（ＨＤＤ２５の代わりに、ＥＥＰＲＯＭ，フラッシュＲＯＭ等を備えた装置、所定日数分の印刷履歴情報しか保存しておかない装置、動作モードがＣＰＵ２１により行われる装置）に変形しておいても良いことや、印刷装置１０で用いられている技術に基づき、印刷を行わない情報処理装置（例えば、スキャナ）を製造しても良いことなどは、当然のことである。
【図面の簡単な説明】
【００４８】
【図１】実施形態に係る印刷装置の構成図。
【図２】印刷装置内の制御ＡＳＩＣに設けられている動作モード制御回路の機能を説明するための図。
【図３】印刷装置内の制御部（ＣＰＵ）が，起動時処理の要素処理として，実行することがある動作モード移行時刻設定処理の流れ図。
【図４】動作モード移行時刻設定処理の内容を説明するための図。
【符号の説明】
【００４９】
１０  印刷装置、  １１  操作パネル、  １２  制御部、  １３  印刷機構部
２１  ＣＰＵ、  ２２  ＲＴＣ、  ２３  制御ＡＳＩＣ、  ２４  ホストＩ／Ｆ回路
２５  ＨＤＤ、  ２６  ＲＡＭ、  ２７  ＲＯＭ、  ３０  動作モード制御回路
４０  スキャナユニット、  ５０  パーソナルコンピュータ（ＰＣ）
【図１】
2007168295.tif 000003
【図２】
2007168295.tif 000004
【図３】
2007168295.tif 000005
【図４】
2007168295.tif 000006